(57)【要約】  酸化ブチレン由来の少なくとも４０ｗｔ％の単位および酸化プロピレン由来の少なくとも４０ｗｔ％の単位を含み、モノオール、ジオール、およびポリオールから選択される１種または複数の開始剤で開始される、少なくとも９０ｗｔ％の少なくとも１種の油溶性ポリアルキレングリコール（ＯＳＰ）、ならびに少なくとも０．０５ｗｔ％の少なくとも１種の耐摩耗添加剤を含む、潤滑油組成物であって、０．３５ｍｍ以下の四球耐摩耗性および５０℃で１分以下の空気放出値を示す潤滑油組成物が、提供される。【選択図】なし【特許請求の範囲】
【請求項１】
油溶性ポリアルキレングリコール（ＯＳＰ）が、酸化ブチレン由来の少なくとも４０ｗｔ％の単位および酸化プロピレン由来の少なくとも４０ｗｔ％の単位を含み、モノオール、ジオールおよびポリオールから選択される１種または複数の開始剤によって開始される、少なくとも９０ｗｔ％の少なくとも１種の前記ＯＳＰ、ならびに
少なくとも０．０５ｗｔ％の少なくとも１種の耐摩耗添加剤
を含む潤滑油組成物であって、
前記潤滑油組成物は、０．３５ｍｍ以下の四球耐摩耗性および５０℃で１分以下の空気放出値を示す、潤滑油組成物。
【請求項２】
前記少なくとも１種のＯＳＰのそれぞれが、−２０℃未満のアニリン点を示す、請求項１に記載の潤滑油組成物。
【請求項３】
前記少なくとも１種のＯＳＰのそれぞれが、４０℃で１５から２５０ｃＳｔの間の動粘性率を有する、請求項１〜２のいずれか一項に記載の潤滑油組成物。
【請求項４】
前記少なくとも１種の耐摩耗添加剤のそれぞれが、０．１から０．２５ｗｔ％の量で存在する、請求項１〜３のいずれか一項に記載の潤滑油組成物。
【請求項５】
前記耐摩耗添加剤が、ジアルキルジチオリン酸亜鉛、リン酸アミン、ジチオカルバミン酸塩、アルキルリン酸エステル、無灰ジチオカルバミン酸塩、無灰ジチオリン酸塩、それらの組み合わせ、およびそれらのブレンド物からなる群から選択される、請求項１〜４のいずれか一項に記載の潤滑油組成物。
【請求項６】
前記少なくとも１種のＯＳＰのそれぞれが、−２５℃未満のアニリン点を示す、請求項１〜５のいずれか一項に記載の潤滑油組成物。
【請求項７】
極圧添加剤、黄色金属不動態化剤、および酸化防止剤からなる群から選択される１種または複数の添加剤をさらに含む、請求項１〜６のいずれか一項に記載の潤滑油組成物。
【請求項８】
前記潤滑油組成物が、７５℃で１分以下の空気放出値をさらに示す、請求項１〜７のいずれか一項に記載の潤滑油組成物。
【請求項９】
前記潤滑油組成物が、０．３２ｍｍ以下の四球耐摩耗性を示す、請求項１〜８のいずれか一項に記載の潤滑油組成物。
【請求項１０】
油溶性ポリアルキレングリコール（ＯＳＰ）が、酸化プロピレンおよび酸化ブチレン由来の単位を含むコポリマー、酸化ポリブチレンホモポリマー、およびそれらの組み合わせからなる群から選択されるポリマーであり、前記ＯＳＰは４０℃で１００ｃＳｔ以上の動粘性率を示す、少なくとも９０ｗｔ％の少なくとも１種の前記ＯＳＰ、ならびに
０．２５から２ｗｔ％の少なくとも１種の極圧添加剤
を含む潤滑油組成物であって、
前記潤滑油組成物は、少なくとも１６０ｋｇの四球ＥＰ融着荷重および７５℃で３分以下の空気放出値を示す、潤滑油組成物。
【請求項１１】
無灰ジチオリン酸塩、トリアリールホスホチオン酸塩、ジフェニル亜リン酸アルキル、リン酸アミン、ジチオリン酸塩、トリアリールホスホチオン酸塩、それらのブレンド物およびそれらの組み合わせからなる群から選択される極圧添加剤をさらに含む、請求項１０に記載の潤滑油組成物。
【請求項１２】
請求項１〜１１のいずれか一項に記載の潤滑油組成物を含む、油圧油。
【発明の詳細な説明】
【技術分野】
【０００１】
本発明は、油溶性ポリアルキレングリコール潤滑油組成物に関する。
【背景技術】
【０００２】
油圧油の３つの重要な性能特性は、耐摩耗性能、空気放出、および沈殿制御である。
【０００３】
市販の油圧油には、鉱油、ポリアルファオレフィン（ＰＡＯ）、合成エステル、リン酸エステル、植物油、およびポリアルキレングリコール（ＰＡＧ）を基材とするものが含まれる。異なる種類の油圧油は、様々な摩耗特性、空気放出特性および沈殿制御特性を提供する。配合された油圧油は、空気放出および耐摩耗値は低いが沈殿制御が優れている、３つの特性全てを兼ね備えるものが非常に望ましい。
【発明の概要】
【課題を解決するための手段】
【０００４】
本発明は、潤滑油組成物ならびに油圧油、圧縮機油およびエンジン油においてそれを用いる方法である。
【０００５】
一実施形態において、本発明は、油溶性ポリアルキレングリコール（ＯＳＰ）が酸化ブチレン由来の少なくとも４０ｗｔ％の単位および酸化プロピレン由来の少なくとも４０ｗｔ％の単位を含みモノオール（ｍｏｎｏｌ）、ジオール、およびポリオールから選択される１種または複数の開始剤によって開始される、少なくとも９０ｗｔ％の少なくとも１種のＯＳＰ、ならびに少なくとも０．０５ｗｔ％の少なくとも１種の耐摩耗添加剤を含む潤滑油組成物であって、０．３５ｍｍ以下の四球耐摩耗性および５０℃で１分以下の空気放出値を示す潤滑油組成物を提供する。
【発明を実施するための形態】
【０００６】
酸化ブチレン（ＢＯ）誘導体から導かれ、耐摩耗添加剤を配合された新しい油溶性ＰＡＧは、非常に低い耐摩耗値および極めて低い空気放出値を提供し得ることが発見された。加えてこれらの生成物は、優れた沈殿制御を提供する。
【０００７】
本発明は、潤滑油組成物である。本発明による組成物は、油溶性ポリアルキレングリコール（ＯＳＰ）が酸化ブチレン由来の少なくとも４０ｗｔ％の単位および酸化プロピレン（ＰＯ）由来の少なくとも４０ｗｔ％の単位を含みモノオール、ジオール、およびポリオールから選択される１種または複数の開始剤によって開始される、少なくとも９０ｗｔ％の少なくとも１種のＯＳＰ、ならびに少なくとも０．０５ｗｔ％の少なくとも１種の耐摩耗添加剤を含み、潤滑油組成物は、０．３５ｍｍ以下の四球耐摩耗性および５０℃で１分以下の空気放出値を示す。
【０００８】
潤滑油組成物の実施形態において有用な油溶性ポリアルキレングリコール（ＯＳＰ）は、酸化ブチレン由来の少なくとも４０重量パーセントの単位を含む。酸化ブチレン由来の単位の全ての個々の値および少なくとも４０重量パーセントからの部分範囲が、本明細書に含められ、本明細書に開示される；例えば、酸化ブチレン由来の単位の量は、下限が４０、４５、５０、５５または６０重量パーセントからであり得る。潤滑油組成物の実施形態において有用な油溶性ポリアルキレングリコールは、酸化プロピレン由来の少なくとも４０重量パーセントの単位を含む。酸化プロピレン由来の単位の全ての個々の値および少なくとも４０重量パーセントからの部分範囲が、本明細書に含められ、本明細書に開示される；例えば、酸化プロピレン由来の単位の量は、下限が４０、４５、５０、５５または６０重量パーセントからであり得る。
【０００９】
潤滑油組成物は、少なくとも９０重量パーセント（ｗｔ％）のこうした油溶性ＰＡＧを含む。油溶性ＰＡＧの全ての個々の値および少なくとも９０重量パーセントからの部分範囲が、本明細書に含められ、本明細書に開示される；例えば、潤滑油組成物中の油溶性ＰＡＧの量は、下限が９０、９２、９４、９５、９６、９８または１００重量パーセントからであり得る。
【００１０】
潤滑油組成物の実施形態において有用なＯＳＰは、アルコール（すなわち、モノオール）、ジオール、およびポリオールからなる群から選択される１種または複数の開始剤によって開始される。例示的なアルコール（すなわち、モノオール）開始剤には、メタノール、エタノール、プロパノール、ブタノール、ペンタノール、ヘキサノール、ネオペンタノール、イソブタノール、デカノール、２−エチルヘキサノール、および同類のもの、ならびに天然および石油化学両方の供給源由来の、１１炭素原子から２２炭素原子のアルコールを有する高級非環式アルコールが含まれる。例示的なジオール開始剤には、モノエチレングリコール、モノプロピレングリコール、ブチレングリコール、ジエチレングリコールまたはジプロピレングリコールが含まれる。例示的なポリオール開始剤には、ネオペンチルグリコール、トリメチオールプロパン（ｔｒｉｍｅｔｈｙｏｌｐｒｏｐａｎｅ）およびペンタエリトリチオール（ｐｅｎｔａｅｒｙｔｈｒｉｔｉｏｌ）が含まれる。
【００１１】
潤滑油組成物の実施形態は、少なくとも０．０５ｗｔ％の少なくとも１種の耐摩耗添加剤を含む。耐摩耗添加剤の全ての個々の値および少なくとも０．０５重量パーセントからの部分範囲は、本明細書に含められ、本明細書に開示される；例えば、潤滑油組成物中の耐摩耗添加剤の量は、下限が０．０５、０．１５、０．２５、０．５、０．８または１重量パーセントからであり得る。
【００１２】
潤滑油組成物の実施形態は、０．３５ｍｍ以下の四球耐摩耗性を示す。全ての個々の値および０．３５ｍｍ以下からの部分範囲が、本明細書に含められ、本明細書に開示される；例えば、潤滑油組成物は、０．３５、０．３４、０．３３、０．３２、０．３１、０．３０、または０．２９ｍｍ以下の四球耐摩耗性を示し得る。
【００１３】
潤滑油組成物の実施形態は、５０℃で１分以下の空気放出値を示す。全ての個々の値および１分以下からの部分範囲が、本明細書に含められ、本明細書に開示される；例えば、潤滑油組成物は、５０℃で１５秒以下、３０秒以下、４５秒以下、または１分以下の空気放出値を示し得る。
【００１４】
潤滑油組成物のある種の実施形態は、７５℃で１分以下の空気放出値をさらに示す。全ての個々の値および１分以下からの部分範囲が、本明細書に含められ、本明細書に開示される；例えば、潤滑油組成物は、７５℃で１５秒以下、３０秒以下、４５秒以下、または１分以下の空気放出値を示し得る。
【００１５】
潤滑油組成物の一部の実施形態において、少なくとも１種のＯＳＰは、−２０℃未満のアニリン点を示す。全ての個々の値および−２０℃未満からの部分範囲が、本明細書に含められ、本明細書に開示される；例えば、少なくとも１種のＯＳＰのアニリン点は、上限が−３０℃、−２８℃、−２４℃、または−２０℃からであり得る。
【００１６】
潤滑油組成物の一部の実施形態において、少なくとも１種のＯＳＰは、４０℃で１５から２５０ｃＳｔの動粘性率を示す。全ての個々の値および１５から２５０ｃＳｔの部分範囲が、本明細書に含められ、本明細書に開示される；例えば、少なくとも１種のＯＳＰの４０℃における動粘性率は、下限１５、２０、５０、８０、１１０、１３０、１７０、２１０、または２４０ｃＳｔから、上限３０、６０、９０、１２０、１５０、１８０、２２０または２５０ｃＳｔまでであり得る。例えば、動粘性率は、１５から２５０ｃＳｔまで、または１５から２２０ｃＳｔまで、または１００から１８０ｃＳｔまでの範囲であってもよい。
【００１７】
潤滑油組成物において有用な耐摩耗添加剤には、例えば、ジアルキルジチオリン酸亜鉛、リン酸アミン、ジチオカルバミン酸塩、アルキルリン酸エステル、無灰ジチオカルバミン酸塩、それらの組み合わせおよびそれらのブレンド物からなる群から選択される１種または複数の添加剤が含まれる。
【００１８】
潤滑油組成物の一部の実施形態は、極圧添加剤、黄色金属（ｙｅｌｌｏｗ  ｍｅｔａｌ）不動態化剤、および酸化防止剤からなる群から選択される１種または複数の添加剤をさらに含んでいてもよい。例示的な極圧添加剤には、無灰ジチオリン酸塩、トリアリールホスホチオン酸塩（ｔｒｉａｒｙｌ  ｐｈｏｓｐｈｏｔｈｉｏｎａｔｅ）、ジフェニル亜リン酸アルキル、リン酸アミン、ジチオリン酸塩およびトリアリールホスホチオン酸塩が含まれる。黄色金属不動態化剤の例には、トリルトリアゾール、ベンゾトリアゾールおよびＮ−アルキル化トリルトリアゾール（Ｎ−ａｌｋｙｌａｔｅｄ  ｔｏｙｌｔｒｉａｚｏｌｅ）が含まれる。酸化防止剤の例には、オクチル化ジフェニルアミン、アルキル化フェニルアルファナプチルアミン、オクチル化／ブチル化ジフェニルアミンおよびフェノール系酸化防止剤が含まれる。
【００１９】
潤滑油組成物は、油圧油、圧縮機油またはエンジン油として使用してもよい。
【００２０】
いかなる特定の理論にも制限されることはないが、ＰＡＧ系油などの極性基油は、優れた沈殿制御を提供すると考えられている。基油の極性は一般に、そのアニリン点に関係する。極性基油は一般に、低いアニリン点（＜５０℃）を有する。ＡＰＩ（アメリカ石油協会（Ａｍｅｒｉｃａｎ  Ｐｅｔｒｏｌｅｕｍ  Ｉｎｓｔｉｔｕｔｅ））のグループＩ〜ＩＶの炭化水素系基油のアニリン点は、典型的には１００℃以上である。アニリン点は一般に、表１に示すようにグループＩからＩＩ、ＩＩＩおよびＩＶの基油へと増加する。
【表１】
2014534316.tif 000002
【００２１】
別の実施形態では、本発明は、少なくとも一種のＯＳＰがそれぞれ−２０℃未満のアニリン点を示す先行の実施形態のいずれかに従って、潤滑油組成物、油圧油、圧縮機油またはエンジン油を提供する。
【００２２】
別の実施形態では、本発明は、少なくとも一種のＯＳＰがそれぞれ４０℃で１５から２５０ｃＳｔの動粘性率を有することを除き先行の実施形態のいずれかに従って、潤滑油組成物、油圧油、圧縮機油またはエンジン油を提供する。
【００２３】
別の実施形態では、本発明は、少なくとも一種の耐摩耗添加剤がそれぞれ０．１から０．２５ｗｔ％までの量で存在する先行の実施形態のいずれかに従って、潤滑油組成物、油圧油、圧縮機油またはエンジン油を提供する。
【００２４】
別の実施形態では、本発明は、耐摩耗添加剤がジアルキルジチオリン酸亜鉛、リン酸アミン、ジチオカルバミン酸塩、アルキルリン酸エステル、無灰ジチオカルバミン酸塩、それらの組み合わせおよびそれらのブレンド物からなる群から選択される先行の実施形態のいずれかに従って、潤滑油組成物、油圧油、圧縮機油またはエンジン油を提供する。
【００２５】
別の実施形態では、本発明は、少なくとも一種のＯＳＰがそれぞれ−２５℃未満のアニリン点を示す先行の実施形態のいずれかに従って、潤滑油組成物、油圧油、圧縮機油またはエンジン油を提供する。
【００２６】
別の実施形態では、本発明は、潤滑油組成物が極圧添加剤、黄色金属不動態化剤、および酸化防止剤からなる群から選択される１種または複数の添加剤をさらに含む先行の実施形態のいずれかに従って、潤滑油組成物、油圧油、圧縮機油またはエンジン油を提供する。
【００２７】
別の実施形態では、本発明は、潤滑油組成物が７５℃で１分以下の空気放出値をさらに示す先行の実施形態のいずれかに従って、潤滑油組成物、油圧油、圧縮機油またはエンジン油を提供する。
【００２８】
別の実施形態では、本発明は、潤滑油組成物が０．３２ｍｍ以下の四球耐摩耗値を示す先行の実施形態のいずれかに従って、潤滑油組成物、油圧油、圧縮機油またはエンジン油を提供する。
【００２９】
別の実施形態では、潤滑油組成物は、ＯＳＰが酸化ブチレン由来の４０から６０ｗｔ％の単位および酸化プロピレン由来の４０から６０ｗｔ％の単位を含み、アルコールおよびジオールから選択される１種または複数の開始剤によって開始される油溶性ポリアルキレングリコール（ＯＳＰ）、ならびに少なくとも０．０５ｗｔ％の少なくとも１種の耐摩耗添加剤から本質的になり、潤滑油組成物は、０．３５ｍｍ以下の四球耐摩耗値および５０℃で１分以下の空気放出値を示す。
【００３０】
別の態様において、本発明は、ＯＳＰが酸化プロピレンおよび酸化ブチレン由来の単位を含むコポリマー、酸化ポリブチレンホモポリマー、ならびにそれらの組み合わせからなる群から選択されるポリマーであり、ＯＳＰが４０℃で１００ｃＳｔ以上の動粘性率を示す、少なくとも９５ｗｔ％の少なくとも１種の油溶性ポリアルキレングリコール（ＯＳＰ）、ならびに０．２５から２ｗｔ％までの少なくとも１種の極圧添加剤を含み、潤滑油組成物が少なくとも１６０ｋｇの四球ＥＰ融着荷重および７５℃で３分以下の空気放出値を示す、ギア潤滑油組成物をさらに提供する。
【００３１】
全ての個々の値および少なくとも９０ｗｔ％の部分範囲が、本明細書に含められ、本明細書に開示される；例えば、ＯＳＰは下限が９０、９２、９４、９５、９６、９８、または９９ｗｔ％から存在し得る。
【００３２】
別の実施形態では、ギア潤滑油組成物のＯＳＰは、酸化プロピレンおよび酸化ブチレン由来の単位を含むコポリマー、ポリ酸化ブチレンホモポリマー、およびそれらの組み合わせからなる群から選択されるポリマーである。
【００３３】
ギア潤滑油組成物のさらに別の実施形態では、ＯＳＰは、３０から７０重量パーセントの酸化プロピレン由来の単位および７０から３０重量パーセントの酸化ブチレン由来の単位を含む。酸化プロピレン由来の単位の全ての個々の値および３０から７０重量パーセントの部分範囲が、本明細書に含められ、本明細書に開示される；例えば、酸化プロピレン由来の単位の量は、下限が３０、４０、５０、または６０重量パーセントから上限が３５、４５、５５、６５、または７０重量パーセントの範囲であり得る。例えば、酸化プロピレン由来の単位の量は、３０から７０重量パーセントの範囲であってもよく、または選択的に、酸化プロピレン由来の単位の量は、４０から６０重量パーセントの範囲であってもよく、または選択的に、酸化プロピレン由来の単位の量は、４０から７０重量パーセントの範囲であってもよく、または選択的に、酸化プロピレン由来の単位の量は、４５から５５重量パーセントの範囲であってもよく、または選択的に、酸化プロピレン由来の単位の量は、５０重量パーセントであってもよい。酸化ブチレン由来の単位の全ての個々の値および３０から７０重量パーセントの部分範囲が、本明細書に含められ、本明細書に開示される；例えば、酸化ブチレン由来の単位の量は、下限が３０、４０、５０、または６０重量パーセントから上限が３５、４５、５５、６５、または７０重量パーセントの範囲であり得る。例えば、酸化ブチレン由来の単位の量は、３０から７０重量パーセントの範囲であってもよく、または選択的に、酸化ブチレン由来の単位の量は、４０から６０重量パーセントの範囲であってもよく、または選択的に、酸化ブチレン由来の単位の量は、３０から６０重量パーセントの範囲であってもよく、または選択的に、酸化ブチレン由来の単位の量は、４５から５５重量パーセントの範囲であってもよく、または選択的に、酸化ブチレン由来の単位の量は、５０重量パーセントであってもよい。
【００３４】
別の実施形態では、ギア潤滑油組成物のＯＳＰは、４０℃で１００ｃＳｔ以上の動粘性率を示す。全ての個々の値および部分範囲が、本明細書に含められ、本明細書に開示される；例えば、４０℃における動粘性率は、下限が１００、２００、３００、４００、５００、または６００ｃＳｔからであり得る。
【００３５】
ギア潤滑油組成物は、０．２５から２ｗｔ％の少なくとも１種の極圧添加剤を含む。全ての値および０．２５から２重量パーセントの部分範囲が、本明細書に含められ、本明細書に開示される；例えば、極圧添加剤の量は、下限が０．２５、０．５、０．７５、１、１．２５、１．５、または１．７５重量パーセントから上限が０．５、０．７５、１、１．２５、１．５、１．７５、または２重量パーセントの範囲であり得る。例えば、１種または複数の極圧添加剤の量は、０．２５から２重量パーセントであってもよく、または選択的に、１種または複数の極圧添加剤の量は、０．２５から１重量パーセントであってもよく、または選択的に、１種または複数の極圧添加剤の量は、１から２重量パーセントであってもよく、または選択的に、１種または複数の極圧添加剤の量は、０．７５から１．７５重量パーセントであってもよく、または選択的に、１種または複数の極圧添加剤の量は、０．５から１重量パーセントであってもよい。
【００３６】
ギア潤滑油組成物は、少なくとも１６０ｋｇの四球ＥＰ融着荷重を示す。全ての個々の値および少なくとも１６０ｋｇの部分範囲が、本明細書に含められ、本明細書に開示される；例えば、四球ＥＰ融着荷重は、下限が１６０、１７０、１８０、１９０、または２００ｋｇからであり得る。
【００３７】
ギア潤滑油組成物は、７５℃で３分未満の空気放出値を示す。全ての個々の値および３分未満の部分範囲が、本明細書に含められ、本明細書に開示される；例えば、７５℃における空気放出値は、上限が３、２．５、２、１．５または１分からであり得る。
【００３８】
前述の考察はギア潤滑油組成物に言及するものであるが、こうした組成物の使用法をギア式機構だけに限定することは意図されない。どちらかと言えば、ギア潤滑油組成物は、その卓越した空気放出および極圧特性に起因して特にある種の用途に適する。しかしながら、ギア潤滑油組成物は、その特性が有用または有益であろういかなる状況においても用いられ得る。
【実施例】
【００３９】
以下の実施例は、本発明を例示するが、本発明の範囲を限定することは意図されない。表２は、本発明例および比較例に用いる基油、耐摩耗添加剤、酸化防止剤、極圧添加剤および黄色金属不動態化剤、それらの組成物、特性ならびに商用品供給者のリストを提供する。
【表２】
2014534316.tif 000003
【００４０】
発明例１〜６の組成物を表３〜７に示す。
【表３】
2014534316.tif 000004
【表４】
2014534316.tif 000005
【表５】
2014534316.tif 000006
【表６】
2014534316.tif 000007
【表７】
2014534316.tif 000008
【００４１】
比較例１〜５は個々に、それぞれが１００ｗｔ％（添加剤なし）のＰＡＧ−Ａ、ＰＡＧ−Ｂ、ＰＡＧ−Ｃ、ＰＡＧ−Ｄ、およびＵＣＯＮ  ５０−ＨＢ−２６０であった。
【００４２】
比較例６は、９９．７５ｗｔ％のＵＣＯＮ  ５０−ＨＢ−２６０プラス０．２５ｗｔ％のＮＡＬＵＢＥ  ＡＷ６１１０であった。
【００４３】
比較例７は、Ｑｕａｋｅｒ  Ｃｈｅｍｉｃａｌ  Ｃｏｒｐｏｒａｔｉｏｎから入手可能な合成ポリオールエステル系油圧油である、ＱＵＩＮＴＯＬＵＢＲＩＣ  ８８８−４６という名称で市販されている、配合された工業用油であった。
【００４４】
比較例８は、Ｑｕａｋｅｒ  Ｃｈｅｍｉｃａｌ  Ｃｏｒｐｏｒａｔｉｏｎから入手可能な天然エステル（菜種油）系油圧油である、ＱＵＩＮＴＯＬＵＢＲＩＣ  ８５５という名称で市販されている、配合された工業用油であった。
【００４５】
比較例９は、Ｑｕａｋｅｒ  Ｃｈｅｍｉｃａｌ  Ｃｏｒｐｏｒａｔｉｏｎから入手可能な耐火性水グリコール系油圧油である、ＱＵＩＮＴＯＬＵＢＲＩＣ  ７０３という名称で市販されている、配合された工業用油であった。
【００４６】
比較例１０は、Ｃａｓｔｒｏｌ  Ｌｔｄ．から入手可能な鉱油系油圧油である、ＨＹＳＰＩＮ  ＡＷＨ−Ｍ３２という名称で市販されている、配合された工業用油であった。
【００４７】
比較例１１は、Ｃａｓｔｒｏｌ  Ｌｔｄ．から入手可能な鉱油系油圧油である、ＨＹＳＰＩＮ  ＡＷＨ−Ｍ４６という名称で市販されている、配合された工業用油であった。
【００４８】
比較例１２は、Ｃａｓｔｒｏｌ  Ｌｔｄ．から入手可能な鉱油系油圧油である、ＨＹＳＰＩＮ  ＡＷＨ−Ｍ６８という名称で市販されている、配合された工業用油であった。
【００４９】
比較例１３は、Ｃａｓｔｒｏｌ  Ｌｔｄ．から入手可能な鉱油系油圧油である、ＨＹＳＰＩＮ  ＡＷＨ−Ｍ１００という名称で市販されている、配合された工業用油であった。
【００５０】
比較例１４は、Ｃａｓｔｒｏｌ  Ｌｔｄ．から入手可能な鉱油系油圧油である、ＨＹＳＰＩＮ  ＡＷＨ−Ｍ１５０という名称で市販されている、配合された工業用油であった。
【００５１】
比較例１５は、Ｓｃｈａｅｆｆｅｒ  Ｍａｎｕｆａｃｔｕｒｉｎｇ  Ｃｏ．（米国ミズーリ州セントルイス）から入手可能な高オレイン酸植物油および合成エステル系油圧油である、１１２Ｂ−３２という名称で市販されている、配合された生分解性工業用油であった。
【００５２】
比較例１６は、Ｓｃｈａｅｆｆｅｒ  Ｍａｎｕｆａｃｔｕｒｉｎｇ  Ｃｏ．（米国ミズーリ州セントルイス）から入手可能な高オレイン酸植物油および合成エステル系油圧油である、１１２Ｂ−４６という名称で市販されている、配合された生分解性工業用油であった。
【００５３】
比較例１７は、Ｓｃｈａｅｆｆｅｒ  Ｍａｎｕｆａｃｔｕｒｉｎｇ  Ｃｏ．（米国ミズーリ州セントルイス）から入手可能な高オレイン酸植物油および合成エステル系油圧油である、１１２Ｂ−６８という名称で市販されている、配合された生分解性工業用油であった。
【００５４】
比較例１８は、Ｓｈｅｌｌ  Ｏｉｌ  Ｃｏｍｐａｎｙから入手可能な合成エステル系油圧油である、ＮＡＴＵＲＥＬＬＥ  ＨＦ−Ｅ３２という名称で市販されている、配合された合成工業用油であった。
【００５５】
比較例１９は、Ｓｈｅｌｌ  Ｏｉｌ  Ｃｏｍｐａｎｙから入手可能な合成エステル系油圧油である、ＮＡＴＵＲＥＬＬＥ  ＨＦ−Ｅ４６という名称で市販されている、配合された合成工業用油であった。
【００５６】
比較例２０は、Ｃａｔｅｒｐｉｌｌａｒ  Ｃｏｒｐｏｒａｔｉｏｎから入手可能な合成エステル系油圧油である、ＣＡＴ  ＢＩＯ  ＨＹＤＯという名称で市販されている、配合された生分解性工業用油であった。
【００５７】
比較例２１は、Ｒｅｎｅｗａｂｌｅ  Ｌｕｂｒｉｃａｎｔｓ，  Ｉｎｃ．（米国オハイオ州ハートビル）から入手可能なエステル系油圧油である、ＢＩＯ−４６  ＨＹＤという名称で市販されている、配合された生分解性工業用油であった。
【００５８】
比較例２２は、Ｔｈｅ  Ｄｏｗ  Ｃｈｅｍｉｃａｌ  Ｃｏｍｐａｎｙからの、０．５ｗｔ％リン酸アミンおよび１ｗｔ％酸化防止剤パッケージを含有する高オレイン酸植物油およびＰＡＧ（ブタノール開始のプロポキシル酸塩を基材とする）系油圧油である、ＳＹＭＢＩＯ  Ｂｉｏ−ｈｙｄｒａｕｌｉｃ  Ｆｌｕｉｄという名称で市販されている、配合された生分解性工業用油であった。
【００５９】
比較例２３は、Ｔｈｅ  Ｄｏｗ  Ｃｈｅｍｉｃａｌ  ＣｏｍｐａｎｙからＵＣＯＮ  ＴＲＩＤＥＮＴ  ＡＷ−４６という名称で市販されている、０．２５ｗｔ％リン酸アミン耐摩耗添加剤を有するＥＯ／ＰＯランダムコポリマーである、合成ＰＡＧ油圧油であった。
【００６０】
比較例２４は、Ａｍｅｒｉｃａｎ  Ｃｈｅｍｉｃａｌ  Ｔｅｃｈｎｏｌｏｇｉｅｓ，  Ｉｎｃ．（米国ミシガン州ファウラービル）からＥＣＯＳＡＦＥ  ＦＲ−４６という名称で市販されている、ブタノール開始のプロポキシル酸塩を基材とするＰＡＧである、耐火性油圧油であった。
【００６１】
比較例２５は、Ｋｉｎｇ  Ｉｎｄｕｓｔｒｉｅｓ，  Ｉｎｃ．  （米国コネティカット州ノーウォーク）から得られる、グループＩＩの鉱油系油圧油（ＩＳＯ  ４６）であった。
【００６２】
比較例２６は、Ｋｉｎｇ  Ｉｎｄｕｓｔｒｉｅｓ，  Ｉｎｃ．（米国コネティカット州ノーウォーク）から得られる、０．１ｗｔ％のＮＡＬＵＢＥ  ＡＷ−６１１０を配合したグループＩＩの鉱油系（ＩＳＯ  ４６）油圧油であった。
【００６３】
発明例１〜６および比較例１〜２６を、動粘性率、粘度指数、空気放出、四球耐摩耗性、アニリン点および／または流動点について試験した。表８に結果を示す。
【表８−１】
2014534316.tif 000009
【表８−２】
2014534316.tif 000010
【００６４】
発明例７〜１４および比較例２７〜２８は、改善された極圧および空気放出特性を有する潤滑油組成物を生じる基油としての特定のＯＳＰの効果を例示する。表９は、比較例２７〜２８および発明例７〜９の組成物および特性を提供する。表１０は、発明例１０〜１４の組成物および特性を提供する。
【表９】
2014534316.tif 000011
【表１０】
2014534316.tif 000012
【００６５】
試験法
試験法には以下が含まれる：
４０℃および１００℃における動粘性率を、ＡＳＴＭ  Ｄ４４５に従って測定した。
粘度指数を、ＡＳＴＭ  ２２７２に従って測定した。
流動点を、ＡＳＴＭ  Ｄ９７に従って測定した。
四球耐摩耗性を、ＡＳＴＭ  Ｄ４１７２に従って７５℃、１２００ｒｐｍ、負荷４０ｋｇおよび試験時間６０分の試験条件下で測定した。
空気放出を、ＡＳＴＭ  Ｄ３４２７に従って測定した。典型的には低粘性流体であり、４０℃において２２から１５０ｃＳｔの範囲である油圧油について、５０℃で空気放出測定を行った。高粘性流体（すなわち、発明例６）については、７５℃などの高温で測定を行った。
極圧融着荷重は、ＡＳＴＭ  Ｄ２７８３を用いて、温度１８〜３６℃、速度１７６０＋／−４０ｒｐｍ、加重を増加しながら継続時間１０秒で測定した。
【００６６】
特に明記しない限り、文脈から黙示的または当技術分野で慣行である、全ての部および割合は、重量による。引用した全ての出願、広報、特許、試験手順、および他の文書は、優先権書類を含め、かかる開示が公開された組成物および方法と矛盾しない範囲で、かかる組み込みが許される全ての権限について参照により完全に組み込まれる。
【００６７】
本発明は、本発明の要旨およびそれらの本質的特質を逸脱しない他の形態で具現化してもよく、したがって、参照は前述の明細書に対するよりもむしろ本発明の範囲を示している添付の特許請求の範囲に対してなされるべきである。
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
油溶性ポリアルキレングリコール（ＯＳＰ）が、酸化ブチレン由来の少なくとも４０ｗｔ％の単位および酸化プロピレン由来の少なくとも４０ｗｔ％の単位を含み、モノオール、ジオールおよびポリオールから選択される１種または複数の開始剤によって開始される、少なくとも９０ｗｔ％の少なくとも１種の前記ＯＳＰ、ならびに
少なくとも０．０５ｗｔ％の少なくとも１種の耐摩耗添加剤
を含む潤滑油組成物であって、
前記潤滑油組成物は、０．３５ｍｍ以下の四球耐摩耗性および５０℃で１分以下の空気放出値を示す、潤滑油組成物。
【請求項２】
前記少なくとも１種のＯＳＰのそれぞれが、（ａ）−２０℃未満のアニリン点、および（ｂ）４０℃で１５から２５０ｃＳｔの間の動粘性率、からなる群から選択される少なくとも１つの特性を示す、請求項１に記載の潤滑油組成物。
【請求項３】
前記少なくとも１種の耐摩耗添加剤のそれぞれが、０．１から０．２５ｗｔ％の量で存在する、請求項１〜２のいずれか一項に記載の潤滑油組成物。
【請求項４】
前記潤滑油組成物が、０．３２ｍｍ以下の四球耐摩耗性を示す、請求項１〜３のいずれか一項に記載の潤滑油組成物。
【請求項５】
請求項１〜４のいずれか一項に記載の潤滑油組成物を含む、油圧油。
【国際調査報告】
2014534316.tif 000013
2014534316.tif 000014
2014534316.tif 000015
2014534316.tif 000016
2014534316.tif 000017